(57)【要約】【課題】書類をファクシミリ等で送信しようとした際に、簡単にイラスト付き書類を作成することを目的とする。【解決手段】書類を作成するための入力部と、前記入力部で入力された書類の空き領域を検出する空き領域検出手段と、日時を検出する日時検出手段４０と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段４１と、前記空き領域検出手段で検出された空き領域に前記選択したイラストが挿入できる場合に、前記入力部の入力と前記イラスト決定手段で決定されたイラストを基に前記書類とイラストとを表示する表示部４２とを備えたことを特徴とする。【選択図】図３２
2005117695.tif 000002
【特許請求の範囲】
【請求項１】
書類を作成するための入力部と、前記入力部で入力された書類の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置。
【請求項２】
書類を作成するための入力部と、前記入力部で入力された書類の空き領域を検出する空き領域検出手段と、プロフィールを入力するためのプロフィール入力部と、イラストデータと前記イラストデータが使用されるプロフィールに関する情報とが記憶されているイラストデータ記憶部から前記プロフィール入力部で入力されたプロフィールに対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置。
【請求項３】
書類を作成するための入力部と、前記入力部で入力された書類の空き領域を検出する空き領域検出手段と、感情を入力するための感情入力部と、イラストデータと前記イラストデータが使用される感情に関する情報とが記憶されているイラストデータ記憶部から前記感情入力部で入力された感情に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置。
【請求項４】
原稿を入力する原稿入力部と、前記原稿入力部で入力された原稿の空き領域を検出する空き領域検出手段と、日時を検出する日時検出手段と、
イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿入力部の原稿と前記イラスト決定手段で決定されたイラストを表示する表示部と、前記表示部で表示された内容を選択する選択部と、前記選択部で選択された原稿を送信する送信部とを備えたことを特徴とする書類送信装置。
【請求項５】
入力された原稿を読み取る原稿読取部と、前記原稿読取部で読みとられた原稿の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿と前記イラスト決定手段で決定されたイラストとを記憶するイラスト付き原稿記憶部と、前記イラスト付き原稿記憶部で記憶されている内容を送信する送信部とを備えたことを特徴とする書類送信装置。
【発明の詳細な説明】
【技術分野】
【０００１】
本発明は、イラスト付きの書類をファクシミリ等で送信しようとした際に、簡単に書類を作成するために必要な技術である。
【背景技術】
【０００２】
最近、パソコンや電子手帳等、タッチパネルを用いて簡単に手書き入力できる装置が安価になり普及してきている。さらに、ＦＡＸモデムを用いることにより、簡単に手書き入力した書類をＦＡＸ送信することができる。このように、ユーザが手軽に作った書類を他人に送信できるようになってきた。しかし、手書き入力だけでは、他人の目をひくような見栄えのする書類を作成することができない。見栄えのする書類を作るためにイラストを描いて、ワンポイント的に書類に入力しようとしても、イラストを描くのが苦手なユーザは入力できない。そこで、パーソナルコンピュータで使用されるハードディスクやＣＤーＲＯＭ等の大容量の記憶媒体に市販されているイラストを保存し、そのイラストを手書きの書類に挿入することにより、見栄えのする書類を作成することができる。
【発明の開示】
【発明が解決しようとする課題】
【０００３】
しかしながら、記憶媒体に蓄えられているイラストを手書きの書類に挿入するためには、複雑な操作が伴うことが多い。例えば、次のような操作が考えられる。まずはじめに、イラストを挿入するためのコマンドを入力する。これによりイラスト挿入モードになる。次に、手書き書類の内容に合ったイラストを、記憶媒体に蓄えられている多量なイラストの中から各イラストを見ながら選択しなければならない。挿入するイラストが決定すれば、次に、イラストを挿入する位置を指定する。もし、イラストが大きすぎて入らない場合には、手書き文章の位置を移動させなければならない。そのためには、まず、手書き部分を移動させるためのコマンドを入力し、手書き領域の編集モードに入る。そして、移動させる手書き領域を指定し、移動先を指定する。手書き領域の移動が完了すれば、再び、イラストの挿入モードに戻り、イラストを挿入してみる。その結果、イラストが挿入できるのだが、挿入してみてユーザが気にいらなければ、上述の複雑な操作を再び繰り返す必要がある。このように、見栄えのするイラスト付きの書類を作成するためには、複雑な操作が伴い、一般のユーザが使いこなすのは困難である。
【０００４】
また、イラストを選択する場合、ユーザの年齢や性別等のプロフィールによって、異なる傾向のイラストが選択される。にもかかわらず、記憶媒体に蓄えられている多量なイラストを、ユーザが全て確認する作業は無駄が多い。
【０００５】
また、手書き入力をした書類を他人が見た際に、手書き入力された部分からだけでは、手書き入力していたときの感情や気分まで伝えることができない。
【課題を解決するための手段】
【０００６】
第１の発明は、書類を作成するための入力部と、前記入力部で入力された書類の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【０００７】
第２の発明は、書類を作成するための入力部と、前記入力部で入力された書類の空き領域を検出する空き領域検出手段と、プロフィールを入力するためのプロフィール入力部と、イラストデータと前記イラストデータが使用されるプロフィールに関する情報とが記憶されているイラストデータ記憶部から前記プロフィール入力部で入力されたプロフィールに対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【０００８】
第３の発明は、書類を作成するための入力部と、前記入力部で入力された書類の空き領域を検出する空き領域検出手段と、感情を入力するための感情入力部と、イラストデータと前記イラストデータが使用される感情に関する情報とが記憶されているイラストデータ記憶部から前記感情入力部で入力された感情に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【０００９】
第４の発明は、原稿を入力する原稿入力部と、前記原稿入力部で入力された原稿の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿入力部の原稿と前記イラスト決定手段で決定されたイラストを表示する表示部と、前記表示部で表示された内容を選択する選択部と、前記選択部で選択された原稿を送信する送信部とを備えたことを特徴とする書類送信装置である。
【００１０】
第５の発明は、入力された原稿を読み取る原稿読取部と、前記原稿読取部で読みとられた原稿の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿と前記イラスト決定手段で決定されたイラストとを記憶するイラスト付き原稿記憶部と、前記イラスト付き原稿記憶部で記憶されている内容を送信する送信部とを備えたことを特徴とする書類送信装置である。
【発明の効果】
【００１１】
本発明によれば、入力された書類に対して、自動的にイラスト付き書類を作成することができる。
【発明を実施するための最良の形態】
【００１２】
本発明の第一の実施形態は、書類を作成するための入力部と、前記入力部で入力された書類の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【００１３】
第ニの実施形態は、書類を作成するための入力部と、前記入力部で入力された書類の空き領域を検出する空き領域検出手段と、プロフィールを入力するためのプロフィール入力部と、イラストデータと前記イラストデータが使用されるプロフィールに関する情報とが記憶されているイラストデータ記憶部から前記プロフィール入力部で入力されたプロフィールに対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【００１４】
第三の実施形態は、書類を作成するための入力部と、前記入力部で入力された書類の空き領域を検出する空き領域検出手段と、感情を入力するための感情入力部と、イラストデータと前記イラストデータが使用される感情に関する情報とが記憶されているイラストデータ記憶部から前記感情入力部で入力された感情に対応するイラストを決定するイラスト決定手段と、前記空き領域検出手段で検出された空き領域に前記選択したイラストが挿入できる場合に、前記入力部の入力と前記イラスト決定手段で決定されたイラストを基に前記書類とイラストとを表示する表示部とを備えたことを特徴とする書類作成装置である。
【００１５】
第四の実施形態は、原稿を入力する原稿入力部と、前記原稿入力部で入力された原稿の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿入力部の原稿と前記イラスト決定手段で決定されたイラストを表示する表示部と、前記表示部で表示された内容を選択する選択部と、前記選択部で選択された原稿を送信する送信部とを備えたことを特徴とする書類送信装置である。
【００１６】
第五の実施形態は、入力された原稿を読み取る原稿読取部と、前記原稿読取部で読みとられた原稿の空き領域を検出する空き領域検出手段と、日時を検出する日時検出手段と、イラストデータと前記イラストデータが使用される月に関する情報とが記憶されているイラストデータ記憶部から前記日時検出手段で検出された日時に対応するイラストを前記日時検出手段で検出された日時に対応するイラストを決定するイラスト決定手段と、前記空き領域検出手段で検出された空き領域に前記選択したイラストが挿入できる場合に、前記原稿と前記イラスト決定手段で決定されたイラストとを記憶するイラスト付き原稿記憶部と、前記イラスト付き原稿記憶部で記憶されている内容を送信する送信部とを備えたことを特徴とする書類送信装置である。
【００１７】
以下、本発明の実施の形態について、図を用いて説明する。
【００１８】
（実施例１）
第１の発明にかかる実施の一形態を図を参照しながら説明する。
【００１９】
図１は、第１の発明の実施例である書類作成装置のシステム構成を示すものである。図１において、１はユーザからの手書き入力を受け付ける手書き入力部、２は手書き入力部で入力された手書きの領域を検出する記述領域検出手段、３は手書き領域とイラスト領域のレイアウトパターンが記憶されているレイアウト記憶部、４は記述領域検出手段で検出された領域の情報を基に、レイアウト記憶部で記憶されているレイアウトを選択するレイアウト決定手段、５はイラストデータの画像情報とイラストの使用される季節が記憶されているイラストデータ記憶部、６はユーザが手書き入力した日時を検出する日時検出手段、７は日時検出手段で検出された日時を基に、イラストデータ記憶部で記憶されているイラストデータを選択するイラスト決定手段、８は手書き入力とイラストを合成して出力する表示部である。
【００２０】
以上のように構成されたシステムが実行されるハードウエア構成を図２に示す。図２は基本的に汎用の計算機システムの構成と同じであるため、図１のシステムの構成部分として説明した、手書き入力部１、レイアウト記憶部３、イラストデータ記憶部５、表示部８を備えている。図２の構成のうち図１のシステム構成と同じ部分に関しては、同一番号を付し説明を省略する。図２において、９は表示部８に表示されるデータを記憶するＶＲＡＭ、１０は処理のプログラムやデータを実行時に記憶する主記憶装置、１１はプログラムやデータを蓄積しておく外部記憶装置、１２は外部記憶装置１１に記憶されているプログラムを主記憶装置１０に転送し実行するＣＰＵである。以上のように構成された書類作成装置の動作を、図３のフローチャートに沿って説明する。
【００２１】
＜準備＞
はじめに、レイアウト記憶部３において、図４に示す６個の手書き領域の参照パターンと、図５〜図１０に示すような手書き領域の参照パターンに対する、手書き領域とイラスト領域のレイアウトを記憶させる。手書き領域の参照パターンとは、ユーザが記述した領域の形状を表現している。例えば、図４の参照パターン１は、ユーザの手書き領域が縦方向より横方向に長い領域を表現している。ユーザの記述領域と図４の６つの参照パターンとのマッチングを行い、ユーザの記述領域と最も類似している参照パターンを選択する。選択された参照パターンに対して、図５〜図１０のレイアウトを用いてユーザの手書き領域と、イラスト領域を決定する。例えば、図５は、参照パターン１が選択された際の、４つのレイアウトを示している。左上のレイアウトは、手書き領域を中心付近に移動させ、その右下にイラストを挿入するレイアウトである。同様に、各参照パターンに対して、図５〜図１０のレイアウトが定義されている。
【００２２】
また、イラストデータ記憶部５において、図１１に示されるようなイラストデータとそのイラストデータが使用される「月」に関する情報を記憶させる。例えば、イラストＩＤが１の「雪だるま」のイラストは、１２月〜３月にかけて使用される可能性が高いため、１２月〜３月に対する値が、0.8となっている。各月の値は、0〜1.0の範囲で表現され、値が大きいほど、使用される可能性が高いことを表現している。
【００２３】
＜アルゴリズム＞
（ステップＡ１）
マウス、タブレット等のポインティングデバイス、または、タッチパネルが装着されているディスプレイ等の手書き入力できる計算機に対して、ユーザが、図１２のような手書き入力をする。
【００２４】
（ステップＡ２）
ユーザが手書き入力できる領域を図１３に示すように矩形に分割し、それぞれの領域に対して入力された手書きの量を計算する。具体的には、手書き入力可能な領域を１７×２４の矩形に分割し、各矩形中の手書き入力されたドット情報をカウントすることにより、図１２でユーザによって手書き入力された内容は、図１４のように、各格子内に含まれるドットの数の情報で表現される。ドット数が多いことは、多くの手書きが存在したことを示す。図１４において、矩形の中に示す数字がドット数を表現している。矩形の中に数字が記述されていない場所は、ドット数が０を示している。
【００２５】
（ステップＡ３〜Ａ５）
レイアウト記憶部３で記憶されている手書き領域の参照パターンを選択し、選択された参照パターンの手書き領域と、ユーザによって入力された手書き領域とのマッチングを行い、評価値を計算する。
【００２６】
例えば、参照パターン１と図１３のユーザの手書き領域とのマッチングは、次のように計算する。図１４に示すように、（ステップＡ２）で分割された格子と、参照パターン１を重ね合わせる。参照パターン１の中に入っている格子のカウント数の和を求めることにより、参照パターン１と手書き領域のマッチングが計算できる。図１４の例では、参照パターン１内のカウントの和は、
（数１）
３＋４＋４＋３＋……＋４＝９２で求められる。
【００２７】
さらに、参照パターンを移動させ、手書き領域と参照パターン１が一致している場所を探索する。具体的には、参照パターン１の領域を左上から順に、左右、上下に移動させ、再び参照パターン１の内部にある格子のカウント数の和を求める。この操作を繰返し、最も高い値が求められる場所が、参照パターン１と手書き領域が一致していると考えられる。
【００２８】
同様の操作を、他の５つの参照パターン２〜６に対して行う。
【００２９】
（ステップＡ６）
（ステップＡ３〜Ａ５）において、ユーザによって入力された手書きと、あらかじめ蓄えられていた参照パターンとのマッチングの評価値が計算された。その結果から、記述領域に最も類似している参照パターンを選択する。本実施例での計算結果を図１５に示す。図１５の計算結果から、カウント数の和が最も大きい参照パターン６が選択される。
【００３０】
（ステップＡ７）
選択された参照パターンに対して、レイアウト記憶部３で記憶されている図５〜図１０より手書き領域とイラスト領域のレイアウトが選択される。本実施例では、参照パターン６が選択されたため、図１０より、３つのレイアウトが選択される。
【００３１】
（ステップＡ８）
日時検出手段６において、計算機に内臓されている時計を用いて、手書き入力された日時を検出する。本実施例では、「平成８年２月２４日１３時１０分」と検出されたとする。
【００３２】
（ステップＡ９）
（ステップＡ８）で検出された月から、イラストデータ記憶部５で記憶されているイラストを選択する。本実施例では、（ステップＡ８）で検出された月が２月であったため、図１１に示すイラストデータから、２月に適合するイラストが図１６のように適合度合付きで選択される。
【００３３】
（ステップＡ１０）
（ステップＡ７）で選択されたレイアウトのイラスト領域の部分へ、（ステップＡ９）で選択されたイラストデータを挿入し、手書き領域の部分へ、ユーザの手書き領域を移動させることにより、イラスト付き手書き入力の書類が作成される。本実施例では、図１０のレイアウトに対して、図１６のイラストデータが挿入された書類が、図１７に示すように、表示部８において表示される。
【００３４】
本発明の書類作成装置を用いることにより、図１２で入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、季節感のあるイラストを挿入することにより、見栄えのする書類が自動的に作成できる。
【００３５】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【００３６】
なお、本実施例では、手書き入力された部分の色は変更しなかった。しかし、日時検出手段６で検出された日時により、文字の色を変更することができる。例えば、８月に書かれた手書きの内容は、赤色に変更することができる。これにより、さらに季節感のある書類を作成することができる。
【００３７】
なお、本実施例では、手書き入力された部分に動きがなかった。しかし、手書き入力された日時により、文字を点滅させたりすることができる。これにより、さらに見栄えのする書類を作成することができる。
【００３８】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【００３９】
なお、本実施例では、ワンポイントのイラストを挿入していた。しかし、手書き入力された部分の枠をイラストデータとして準備し、それらの枠を用いた書類を作成することができる。
【００４０】
なお、本実施例では、イラストデータ記憶部で記憶されるイラストデータは、各月に対する値で表現されていた。しかし、各イラストデータに対してファジィ集合を用いて利用される月を表現してもよい。
【００４１】
第２の発明にかかる実施の一形態を図を参照しながら説明する。
【００４２】
（実施例２）
図１８は、第２の発明の実施例である書類作成装置のシステム構成を示すものである。図１８において、１３はユーザからの手書き入力を受け付ける手書き入力部、１４は手書き入力部で入力された手書きの領域を検出する記述領域検出手段、１５は手書き領域とイラスト領域のレイアウトパターンが記憶されているレイアウト記憶部、１６は記述領域検出手段で検出された領域の情報を基に、レイアウト記憶部で記憶されているレイアウトを選択するレイアウト決定手段、１７はイラストデータの画像情報とイラストを使用するユーザのプロフィールが記憶されているイラストデータ記憶部、１８はユーザがプロフィールを入力するプロフィール入力部、１９はプロフィール入力部で入力されたプロフィールを基に、イラストデータ記憶部１７で記憶されているイラストデータを選択するイラスト決定手段、２０は手書き入力とイラストを合成して出力する表示部である。
【００４３】
以上のように構成されたシステムが実行されるハードウエア構成を図１９に示す。図１９は基本的に汎用の計算機システムの構成と同じであるため、図１８のシステムの構成部分として説明した、手書き入力部１３、プロフィール入力部１８、レイアウト記憶部１５、イラストデータ記憶部１７、表示部２０を備えている。図１９の構成のうち図１８のシステム構成と同じ部分に関しては、同一番号を付し説明を省略する。図１９において、２１は表示部２０に表示されるデータを記憶するＶＲＡＭ、２２は処理のプログラムやデータを実行時に記憶する主記憶装置、２３はプログラムやデータを蓄積しておく外部記憶装置、２４は外部記憶装置２３に記憶されているプログラムを主記憶装置２２に転送し実行するＣＰＵである。以上のように構成された書類作成装置の動作を、図２０のフローチャートに沿って説明する。
【００４４】
＜準備＞
レイアウト記憶部１５に記憶させる内容は、第１の発明と同一であるため、ここでは省力する。
【００４５】
イラストデータ記憶部１７において、図２１に示されるようなイラストデータとそのイラストデータが使用される「プロフィール」に関する情報を記憶させる。例えば、イラストＩＤが１の「雪だるま」のイラストは、性別が男性で、年齢が０〜１０歳位のプロフィールのユーザが利用することを表現している。
【００４６】
＜アルゴリズム＞
（ステップＢ１）
マウス、タブレット等のポインティングデバイス、または、タッチパネルが装着されているディスプレイ等の入力デバイスを用いて、ユーザのプロフィールを入力する。例えば、図２２に示すような画面に対して、性別＝「男性」、年齢＝「０〜１０歳」が入力されたとする。
【００４７】
（ステップＢ２）から（ステップＢ８）は、第１の発明の（ステップＡ１）から（ステップＡ７）と同じ処理を行うため、ここでは説明を省略する。
【００４８】
（ステップＢ９）
（ステップＢ１）で入力されたプロフィールから、イラストデータ記憶部１７で記憶されているイラストを選択する。本実施例では、（ステップＢ１）で入力されたプロフィールが性別＝「男性」、年齢＝「０〜１０歳」であったため、図２１のイラストデータから、ユーザのプロフィールに一致しているイラストデータが図２３のように選択される。
【００４９】
（ステップＢ１０）
（ステップＢ８）で選択されたレイアウトのイラスト領域の部分へ、（ステップＢ９）で選択されたイラストデータを挿入し、手書き領域の部分へ、ユーザの手書き領域を移動させることにより、イラスト付き手書き入力の書類が作成される。本実施例では、図１０のレイアウトに対して、図２３のイラストデータが挿入された書類が、図２４に示すように、表示部２０において表示される。
【００５０】
本発明の書類作成装置を用いることにより、図１２で入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、ユーザのプロフィールにあったイラストを挿入することにより、ユーザの個人情報を反映させた書類が自動的に作成できる。子供が作成すると、子供らしい書類が作成され、女性が作成すると、女性らしい書類が作成できる。
【００５１】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【００５２】
なお、本実施例では、手書き入力された部分の色は変更しなかった。しかし、ユーザのプロフィールに応じて、文字の色を変更することができる。例えば、子供が入力するとカラフルな色に変更し、大人が入力すると黒色に変更することができる。これにより、さらにユーザらしさを反映させた書類を作成することができる。
【００５３】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【００５４】
なお、本実施例では、ワンポイントのイラストを挿入していた。しかし、手書き入力された部分の枠をイラストデータとして準備し、それらの枠を用いた書類を作成することができる。
【００５５】
なお、本実施例では、イラストデータ記憶部で記憶されるイラストデータのプロフィール情報は、数値または記号で表現されていた。しかし、利用するユーザのプロフィールがあいまいな場合には、ファジィ集合で表現してもよい。
【００５６】
（実施例３）
第３の発明にかかる実施の一形態を図を参照しながら説明する。
【００５７】
図２５は、第３の発明の実施例である書類作成装置のシステム構成を示すものである。図２５において、２５はユーザからの手書き入力を受け付ける手書き入力部、２６は手書き入力部で入力された手書きの領域を検出する記述領域検出手段、２７は手書き領域とイラスト領域のレイアウトパターンが記憶されているレイアウト記憶部、２８は記述領域検出手段で検出された領域の情報を基に、レイアウト記憶部で記憶されているレイアウトを選択するレイアウト決定手段、２９はイラストデータの画像情報とイラストの使用される季節が記憶されているイラストデータ記憶部、３０はユーザが感情を入力する感情入力部、３１は感情入力部で入力された感情を基に、イラストデータ記憶部２９で記憶されているイラストデータを選択するイラスト決定手段、３２は手書き入力とイラストを合成して出力する表示部である。
【００５８】
以上のように構成されたシステムが実行されるハードウエア構成を図２６に示す。図２６は基本的に汎用の計算機システムの構成と同じであるため、図２５のシステムの構成部分として説明した、手書き入力部２５、感情入力部３０、レイアウト記憶部２７、イラストデータ記憶部２９、表示部３２を備えている。図２６の構成のうち図２５のシステム構成と同じ部分に関しては、同一番号を付し説明を省略する。図２６において、３３は表示部３２に表示されるデータを記憶するＶＲＡＭ、３４は処理のプログラムやデータを実行時に記憶する主記憶装置、３５はプログラムやデータを蓄積しておく外部記憶装置、３６は外部記憶装置３５に記憶されているプログラムを主記憶装置３４に転送し実行するＣＰＵである。以上のように構成された書類作成装置の動作を、図２７のフローチャートに沿って説明する。
【００５９】
＜準備＞
レイアウト記憶部２７に記憶させる内容は、第１の発明と同一であるため、ここでは省力する。
【００６０】
イラストデータ記憶部２９において、図２８に示されるようなイラストデータとそのイラストデータが使用される「ユーザの感情」に関する情報を記憶させる。例えば、イラストＩＤが１の「鷹」のイラストは、ユーザが怒っているときに利用することを表現している。
【００６１】
＜アルゴリズム＞
（ステップＣ１）
マウス、タブレット等のポインティングデバイス、または、タッチパネルが装着されているディスプレイ等の入力デバイスを用いて、ユーザの感情を入力する。例えば、図２９に示すような画面に対して、「うれしい」が入力されたとする。
【００６２】
（ステップＣ２）から（ステップＣ８）は、第１の発明の（ステップＡ１）から（ステップＡ７）と同じ処理を行うため、ここでは説明を省略する。
【００６３】
（ステップＣ９）
（ステップＣ１）で入力された感情から、イラストデータ記憶部２９で記憶されているイラストを選択する。本実施例では、（ステップＣ１）で入力された感情が「うれしい」であったため、図２８のイラストデータから、ユーザの感情に一致しているイラストデータが図３０のように選択される。
【００６４】
（ステップＣ１０）
（ステップＣ８）で選択されたレイアウトのイラスト領域の部分へ、（ステップＣ９）で選択されたイラストデータを挿入し、手書き領域の部分へ、ユーザの手書き領域を移動させることにより、イラスト付き手書き入力の書類が作成される。本実施例では、図１０のレイアウトに対して、図３０のイラストデータが挿入された書類が、図３１に示すように、表示部３２において表示される。
【００６５】
本発明の書類作成装置を用いることにより、図１２で入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、ユーザの感情にあったイラストを挿入することにより、ユーザの気分を伝える書類を作成することができる。
【００６６】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【００６７】
なお、本実施例では、手書き入力された部分の色は変更しなかった。しかし、ユーザのプロフィールに応じて、文字の色を変更することができる。例えば、ユーザが怒っているときには、文字の色を赤色に変更することができる。これにより、さらに、感情を伝える書類を作成することができる。
【００６８】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【００６９】
なお、本実施例では、ワンポイントのイラストを挿入していた。しかし、手書き入力された部分の枠をイラストデータとして準備し、それらの枠を用いた書類を作成することができる。
【００７０】
なお、本実施例では、イラストデータ記憶部で記憶されるイラストデータの感情に関する情報は、記号で表現されていた。しかし、利用するユーザの感情があいまいな場合には、ファジィ集合で表現してもよい。
【００７１】
（実施例４）
第４の発明にかかる実施の一形態を図を参照しながら説明する。
【００７２】
図３２は、第４の発明の実施例である書類作成装置のシステム構成を示すものである。図３２において、３７はユーザからの手書き入力を受け付ける手書き入力部、３８は手書き入力部で入力されていない空き領域を検出する空き領域検出手段、３９はイラストデータの画像情報とイラストの使用される季節が記憶されているイラストデータ記憶部、４０はユーザが手書き入力した時刻を検出する日時検出手段、４１は日時検出手段で検出された日時を基に、イラストデータ記憶部で記憶されているイラストデータを選択するイラスト決定手段、４２は手書き入力とイラストを合成して出力する表示部である。
【００７３】
以上のように構成されたシステムが実行されるハードウエア構成は、図２の第１の発明のハードウエア構成から、レイアウト記憶部３を取り除いた構成となる。各機能は、同一であるため、説明を省略する。次に、書類作成装置の動作を、図３３のフローチャートに沿って説明する。
【００７４】
＜準備＞
イラストデータ記憶部３９に記憶される内容は、第１の発明のイラストデータ記憶部５に記憶される内容と同一であるため、説明を省略する。
【００７５】
＜アルゴリズム＞
（ステップＤ１）
マウス、タブレット等のポインティングデバイス、または、タッチパネルが装着されているディスプレイ等の手書き入力できる計算機に対して、ユーザが、図１２のような手書き入力をする。
【００７６】
（ステップＤ２）
ユーザが手書き入力できる領域を図１３に示すように矩形に分割し、それぞれの領域に対して入力された手書きの量を計算する。具体的には、手書き入力可能な領域を１７×２４の矩形に分割し、各矩形中の手書き入力されたドット情報をカウントすることにより、図１２でユーザによって手書き入力された内容は、図１４のように、各格子内に含まれるドットの数の情報で表現される。ドット数が多いことは、多くの手書きが存在したことを示す。図１４において、矩形の中に示す数字がドット数を表現している。矩形の中に数字が記述されていない場所は、ドット数が０を示している。
【００７７】
（ステップＤ３）
日時検出手段４０において、計算機に内臓されている時計を用いて、手書き入力された日時を検出する。本実施例では、「平成８年２月２４日１３時１０分」と検出されたとする。
【００７８】
（ステップＤ４）
（ステップＤ３）で検出された月から、イラストデータ記憶部３９で記憶されているイラストを選択する。本実施例では、（ステップＤ３）で検出された月が２月であったため、図１１に示すイラストデータから、２月に適合するイラストが図１６のように適合度合付きで選択される。
【００７９】
（ステップＤ５〜Ｄ７）
（ステップＤ４）で選択されたイラストデータに関して（ステップＤ２）で検出された空き領域（ドット数＝０）に挿入できる場合には挿入する。
【００８０】
（ステップＤ８）
手書き入力された内容は移動せずに、挿入できる領域にイラストデータ挿入して出力する。本実施例では、図１３の手書き入力に対して、図１６のイラストデータが挿入された書類が、図３４に示すように、表示部４２において表示される。
【００８１】
本発明の書類作成装置を用いることにより、図１２で入力されたユーザの手書き入力に対して、自動的にイラスト付き書類を作成することができる。また、手書き入力された量が少ない場合でも、イラストを挿入することにより、全体のバランスがとれる。さらに、季節感のあるイラストを挿入することにより、見栄えのする書類が自動的に作成できる。
【００８２】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【００８３】
なお、本実施例では、手書き入力された部分の色は変更しなかった。しかし、日時検出手段で検出された日時により、文字の色を変更することができる。例えば、８月に書かれた手書きの内容は、赤色に変更することができる。これにより、さらに季節感のある書類を作成することができる。
【００８４】
なお、本実施例では、手書き入力された部分に動きがなかった。しかし、手書き入力された日時により、文字を点滅させたりすることができる。これにより、さらに見栄えのする書類を作成することができる。
【００８５】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【００８６】
なお、本実施例では、ワンポイントのイラストを挿入していた。しかし、手書き入力された部分の枠をイラストデータとして準備し、それらの枠を用いた書類を作成することができる。
【００８７】
なお、本実施例では、イラストデータ記憶部で記憶されるイラストデータは、各月に対する値で表現されていた。しかし、各イラストデータに対してファジィ集合を用いて利用される月を表現してもよい。
【００８８】
（実施例５）
第５の発明にかかる実施の一形態を図を参照しながら説明する。
【００８９】
図３５は、第５の発明の実施例である書類作成装置のシステム構成を示すものである。図３５において、４３はユーザからの手書き入力を受け付ける手書き入力部、４４は手書き入力部で入力されていない空き領域を検出する空き領域検出手段、４５はイラストデータの画像情報とイラストを使用するユーザのプロフィールが記憶されているイラストデータ記憶部、４６はユ・BR>[ザがプロフィールを入力するプロフィール入力部、４７はプロフィール入力部で入力されたプロフィールを基に、イラストデータ記憶部４５で記憶されているイラストデータを選択するイラスト決定手段、４８は手書き入力とイラストを合成して出力する表示部である。
【００９０】
以上のように構成されたシステムが実行されるハードウエア構成は、図１９の第２の発明のハードウエア構成から、レイアウト記憶部１５を取り除いた構成となる。各機能は、同一であるため、説明を省略する。次に、書類作成装置の動作を、図３６のフローチャートに沿って説明する。
【００９１】
＜準備＞
イラストデータ記憶部４５に記憶される内容は、第２の発明のイラストデータ記憶部１７に記憶される内容と同一であるため、説明を省略する。
【００９２】
＜アルゴリズム＞
（ステップＥ１）
マウス、タブレット等のポインティングデバイス、または、タッチパネルが装着されているディスプレイ等の入力デバイスを用いて、ユーザのプロフィールを入力する。例えば、図２２に示すような画面に対して、性別＝「男性」、年齢＝「０〜１０歳」が入力されたとする。
【００９３】
（ステップＥ２）、（ステップＥ３）は第４の発明の（ステップＤ１）、（ステップＤ２）とそれぞれ同一であるため説明を省略する。
【００９４】
（ステップＥ４）
（ステップＥ１）で入力されたプロフィールから、イラストデータ記憶部４５で記憶されているイラストを選択する。本実施例では、（ステップＥ１）で入力されたプロフィールが性別＝「男性」、年齢＝「０〜１０歳」であったため、図２１のイラストデータから、ユーザのプロフィールに一致しているイラストデータが図２３のように選択される。
【００９５】
（ステップＥ５）から（ステップＥ７）は、第４の発明の（ステップＤ５）から（ステップＤ７）と同一であるため、説明を省略する。
【００９６】
（ステップＥ８）
手書き入力された内容は移動せずに、挿入できる領域にイラストデータ挿入して出力する。本実施例では、図１３の手書き入力に対して、図２３のイラストデータが挿入された書類が、図３７に示すように、表示部４２において表示される。
【００９７】
本発明の書類作成装置を用いることにより、図１２で入力されたユーザの手書き入力に対して、自動的にイラスト付き書類を作成することができる。また、手書き入力された量が少ない場合でも、イラストを挿入することにより、全体のバランスがとれる。さらに、ユーザのプロフィールにあったイラストを挿入することにより、ユーザの個人情報を反映させた書類が自動的に作成できる。子供が作成すると、子供らしい書類が作成され、女性が作成すると、女性らしい書類が作成できる。
【００９８】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【００９９】
なお、本実施例では、手書き入力された部分の色は変更しなかった。しかし、ユーザのプロフィールに応じて、文字の色を変更することができる。例えば、子供が入力するとカラフルな色に変更し、大人が入力すると黒色に変更することができる。これにより、さらにユーザらしさを反映させた書類を作成することができる。
【０１００】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【０１０１】
なお、本実施例では、ワンポイントのイラストを挿入していた。しかし、手書き入力された部分の枠をイラストデータとして準備し、それらの枠を用いた書類を作成することができる。
【０１０２】
なお、本実施例では、イラストデータ記憶部で記憶されるイラストデータのプロフィール情報は、数値または記号で表現されていた。しかし、利用するユーザのプロフィールがあいまいな場合には、ファジィ集合で表現してもよい。
【０１０３】
（実施例６）
第６の発明にかかる実施の一形態を図を参照しながら説明する。
【０１０４】
図３８は、第６の発明の実施例である書類作成装置のシステム構成を示すものである。図３８において、４９はユーザからの手書き入力を受け付ける手書き入力部、５０は手書き入力部で入力されていない空き領域を検出する空き領域検出手段、５１はイラストデータの画像情報とイラストを使用するユーザのプロフィールが記憶されているイラストデータ記憶部、５２はユーザがプロフィールを入力するプロフィール入力部、５３はプロフィール入力部で入力されたプロフィールを基に、イラストデータ記憶部５１で記憶されているイラストデータを選択するイラスト決定手段、５４は手書き入力とイラストを合成して出力する表示部である。
【０１０５】
以上のように構成されたシステムが実行されるハードウエア構成は、図２６の第３の発明のハードウエア構成から、レイアウト記憶部２７を取り除いた構成となる。各機能は、同一であるため、説明を省略する。次に、書類作成装置の動作を、図３９のフローチャートに沿って説明する。
【０１０６】
＜準備＞
イラストデータ記憶部４５に記憶される内容は、第３の発明のイラストデータ記憶部２９に記憶される内容と同一であるため、説明を省略する。
【０１０７】
＜アルゴリズム＞
（ステップＦ１）
マウス、タブレット等のポインティングデバイス、または、タッチパネルが装着されているディスプレイ等の入力デバイスを用いて、ユーザの感情を入力する。例えば、図２９に示すような画面に対して、「うれしい」が入力されたとする。
【０１０８】
（ステップＦ２）、（ステップＦ３）は第４の発明の（ステップＤ１）、（ステップＤ２）とそれぞれ同一であるため説明を省略する。
【０１０９】
（ステップＦ４）
（ステップＦ１）で入力された感情から、イラストデータ記憶部５１で記憶されているイラストを選択する。本実施例では、（ステップＦ１）で入力された感情が「うれしい」であったため、図２８のイラストデータから、ユーザの感情に一致しているイラストデータが図３０のように選択される。
【０１１０】
（ステップＦ５）から（ステップＦ７）は、第４の発明の（ステップＤ５）から（ステップＤ７）と同一であるため、説明を省略する。
【０１１１】
（ステップＦ８）
手書き入力された内容は移動せずに、挿入できる領域にイラストデータ挿入して出力する。本実施例では、図１３の手書き入力に対して、図３０のイラストデータが挿入された書類が、図４０に示すように、表示部５４において表示される。
【０１１２】
本発明の書類作成装置を用いることにより、図１２で入力されたユーザの手書き入力に対して、自動的にイラスト付き書類を作成することができる。また、手書き入力された量が少ない場合でも、イラストを挿入することにより、全体のバランスがとれる。さらに、ユーザの感情にあったイラストを挿入することにより、ユーザの気分を伝える書類を作成することができる。
【０１１３】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【０１１４】
なお、本実施例では、手書き入力された部分の色は変更しなかった。しかし、ユーザのプロフィールに応じて、文字の色を変更することができる。例えば、ユーザが怒っているときには、文字の色を赤色に変更することができる。これにより、さらに、感情を伝える書類を作成することができる。
【０１１５】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【０１１６】
なお、本実施例では、ワンポイントのイラストを挿入していた。しかし、手書き入力された部分の枠をイラストデータとして準備し、それらの枠を用いた書類を作成することができる。
【０１１７】
なお、本実施例では、イラストデータ記憶部で記憶されるイラストデータの感情に関する情報は、記号で表現されていた。しかし、利用するユーザの感情があいまいな場合には、ファジィ集合で表現してもよい。
【０１１８】
（実施例７）
第７の発明にかかる実施の一形態を図を参照しながら説明する。
【０１１９】
図４１は、第７の発明の実施例である書類作成装置のシステム構成を示すものである。図４１において、５５はユーザからの手書き入力を受け付ける手書き入力部、５６は手書き入力部で入力された手書きの領域を検出する記述領域検出手段、５７は手書き領域とイラスト領域のレイアウトパターンが記憶されているレイアウト記憶部、５８は記述領域検出手段で検出された領域の情報を基に、レイアウト記憶部で記憶されているレイアウトを選択するレイアウト決定手段、５９はイラストデータの画像情報とイラストの使用される季節が記憶されているイラストデータ記憶部、６０は効果音の音声情報と効果音が使用される季節が記憶されている効果音記憶部、６１はユーザが手書き入力した時刻を検出する日時検出手段、６２は日時検出手段で検出された日時を基に、イラストデータ記憶部で記憶されているイラストデータと効果音記憶部で記憶されている効果音とを選択するイラスト効果音決定手段、６３は手書き入力とイラストを合成して効果音と共に出力する表示部である。
【０１２０】
以上のように構成されたシステムが実行されるハードウエア構成を図４２に示す。図４２は基本的に汎用の計算機システムの構成と同じであるため、図４１のシステムの構成部分として説明した、手書き入力部５５、レイアウト記憶部５７、イラストデータ記憶部５９、効果音記憶部６０、表示部６３を備えている。図４２の構成のうち図４１のシステム構成と同じ部分に関しては、同一番号を付し説明を省略する。図４２において、６４は表示部６３に表示されるデータを記憶するＶＲＡＭ、６５は処理のプログラムやデータを実行時に記憶する主記憶装置、６６はプログラムやデータを蓄積しておく外部記憶装置、６７は外部記憶装置６６に記憶されているプログラムを主記憶装置６５に転送し実行するＣＰＵである。以上のように構成された書類作成装置の動作を、図４３のフローチャートに沿って説明する。
【０１２１】
＜準備＞
レイアウト記憶部５７とイラストデータ記憶部５９で記憶させる内容は、第１の発明と同一であるため、説明を省略する。
【０１２２】
効果音記憶部６０において、図４３に示されるような効果音とその効果音が使用される「月」に関する情報を記憶させる。例えば、効果音ＩＤが１のタイトル「スキー」の効果音は、１２月〜３月にかけて使用される可能性が高いため、１２月〜３月に対する値が、0.8となっている。各月の値は、0〜1.0の範囲で表現され、値が大きいほど、使用される可能性が高いことを表現している。
【０１２３】
＜アルゴリズム＞
（ステップＧ１）から（ステップＧ８）までは、第１の発明の（ステップＡ１）から（ステップＡ８）と同一であるため、説明を省略する。
【０１２４】
（ステップＧ９）
（ステップＧ８）で検出された月から、イラストデータ記憶部５９で記憶されているイラストを選択する。本実施例では、（ステップＧ８）で検出された月が２月であったため、図１１に示すイラストデータから、２月に適合するイラストが図１６のように適合度合付きで選択される。また、（ステップＧ８）で検出された月から、効果音記憶部６０で記憶されている効果音を選択する。本実施例では、（ステップＧ８）で検出された月が２月であったため、図４３に示すイラストデータから、２月に適合するイラストが図４４のように適合度合付きで選択される。
【０１２５】
（ステップＧ１０）
（ステップＧ７）で選択されたレイアウトのイラスト領域の部分へ、（ステップＧ９）で選択されたイラストデータを挿入し、手書き領域の部分へ、ユーザの手書き領域を移動させることにより、イラスト付き手書き入力の書類が作成される。（ステップＧ９）で選択された効果音を発生させながら、表示部６３で表示される。本実施例では、図１０のレイアウトに対して、図１６のイラストデータが挿入された書類が、図４５に示されるように、各書類の下に示されている効果音を発生させながら順に表示される。
【０１２６】
本発明の書類作成装置を用いることにより、図１２で入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、季節感のあるイラストを挿入することにより、見栄えのする書類が自動的に作成できる。
【０１２７】
なお、本実施例では、挿入されるイラストは、静止画像であった。しかし、あらかじめイラストデータ記憶部で記憶させるイラストを、動画に変更することにより、動画を挿入することができる。これにより、さらに見栄えのする書類を作成することができる。
【０１２８】
なお、本実施例では、手書き入力された部分の色は変更しなかった。しかし、日時検出手段で検出された日時により、文字の色を変更することができる。例えば、８月に書かれた手書きの内容は、赤色に変更することができる。これにより、さらに季節感のある書類を作成することができる。
【０１２９】
なお、本実施例では、手書き入力された部分に動きがなかった。しかし、手書き入力された日時により、文字を点滅させたりすることができる。これにより、さらに見栄えのする書類を作成することができる。
【０１３０】
なお、本実施例では、マウスやタッチパネル等のポインティングデバイスを用いて手書き入力された内容に対して、イラスト付き書類を作成した。しかし、ワープロ等の装置においてキーボードにより入力された文章を基に自動的にレイアウトすることができる。
【０１３１】
なお、本実施例では、ワンポイントのイラストを挿入していた。しかし、手書き入力された部分の枠をイラストデータとして準備し、それらの枠を用いた書類を作成することができる。
【０１３２】
なお、本実施例では、イラストデータ記憶部で記憶されるイラストデータは、各月に対する値で表現されていた。しかし、各イラストデータに対してファジィ集合を用いて利用される月を表現してもよい。
【０１３３】
なお、本実施例では、効果音記憶部で記憶される音声データは、各月に対する値で表現されていた。しかし、各効果音に対してファジィ集合を用いて利用される月を表現してもよい。
【０１３４】
なお、本実施例では、効果音とイラストを独立に決定していた。しかし、効果音付きイラストをイラストデータ記憶部に記憶させることにより、イラストに合った効果音が選択できる。
【０１３５】
なお、本実施例では、日時検出手段を用いてイラストを選択した。しかし、プロフィール入力部を設けることにより、ユーザのプロフィールを基にイラストを選択することができる。これにより、ユーザのプロフィールに合ったイラスト付き書類を作成することができる。
【０１３６】
なお、本実施例では、日時検出手段を用いてイラストを選択した。しかし、感情入力部を設けることにより、ユーザの感情を基にイラストを選択することができる。これにより、ユーザの感情に合ったイラスト付き書類を作成することができる。
【０１３７】
なお、本実施例では、手書き入力された部分を移動させ、イラストを挿入している。しかし、手書き領域の空き領域を検出し、その領域にイラストを挿入することもできる。
【０１３８】
（実施例８）
第８の発明にかかる実施の一形態を図を参照しながら説明する。
【０１３９】
図４６は、第８の発明の実施例である書類送信装置のシステム構成を示すものである。図４６において、６８は送信する原稿を読み取る原稿読取部、６９は原稿読取部６８で読み取られた原稿の記述領域を検出する記述領域検出手段、７０は手書き領域とイラスト領域のレイアウトパターンが記憶されているレイアウト記憶部、７１は記述領域検出手段で検出された領域の情報を基に、レイアウト記憶部で記憶されているレイアウトを選択するレイアウト決定手段、７２はイラストデータの画像情報とイラストの使用される季節が記憶されているイラストデータ記憶部、７３はユーザが手書き入力した時刻を検出する日時検出手段、７４は日時検出手段で検出された日時を基に、イラストデータ記憶部で記憶されているイラストデータを選択するイラスト決定手段、７５は手書き入力とイラストを合成して出力する表示部、７６は表示部７５で表示されたイラスト付き書類をユーザが選択するユーザ選択部、７７はユーザ選択部で選択されたイラスト付き書類を電話回線を通じて送信できる送信部である。
【０１４０】
以上のように構成されたシステムが実行されるハードウエア構成を図４７に示す。図４７は、基本的に汎用の計算機システムと通信モデムとスキャナーから構成されている。図４６のシステムの構成部分として説明した、原稿読取部６８、レイアウト記憶部７０、イラストデータ記憶部７２、ユーザ選択部７６、表示部７５、送信部７７を備えている。図４７の構成のうち図４６のシステム構成と同じ部分に関しては、同一番号を付し説明を省略する。図４７において、７８は表示部７５に表示されるデータを記憶するＶＲＡＭ、７９は処理のプログラムやデータを実行時に記憶する主記憶装置、８０はプログラムやデータを蓄積しておく外部記憶装置、８１は外部記憶装置８０に記憶されているプログラムを主記憶装置７９に転送し実行するＣＰＵである。以上のように構成された書類送信装置の動作を、図４８のフローチャートに沿って説明する。
【０１４１】
＜準備＞
レイアウト記憶部７０とイラストデータ記憶部７２で記憶させる内容は、第１の発明と同一であるため、説明を省略する。
【０１４２】
＜アルゴリズム＞
（ステップＨ１）
送信しようとする原稿を原稿読取部へ入力する。ここでは、図４９に示す手書きの送信原稿を入力したとする。
【０１４３】
（ステップＨ２）から（ステップＨ１０）までは、第１の発明の（ステップＡ２）から（ステップＡ１０）と同一であるため、説明を省略する。
【０１４４】
（ステップＨ１１）
（ステップＨ１０）において表示部７５で表示されたイラスト付き書類を、ポインティングデバイス等によりユーザ選択部７６において選択する。ここでは、図１７のように提示された３種類のイラスト付き書類の左の書類を選択したとする。
【０１４５】
（ステップＨ１２）
ユーザ選択部７６において選択された原稿を送信部７７により送信する。本実施例では、図１７の左の書類が送信される。
【０１４６】
本発明の書類送信装置を用いることにより、図４９で入力されたユーザの送信原稿に対して、自動的にイラスト付き原稿を作成することができる。また、送信原稿の記述された部分の形状に応じて記述領域を移動させることにより、ユーザは、全体のレイアウトを意識せずに、書類を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【０１４７】
なお、本実施例では、手書き入力された部分の色は変更しなかった。しかし、日時検出手段で検出された日時により、文字の色を変更することができる。例えば、８月に書かれた手書きの内容は、赤色に変更することができる。これにより、さらに季節感のある送信原稿を作成することができる。
【０１４８】
なお、本実施例では、ワンポイントのイラストを挿入していた。しかし、送信原稿の枠をイラストデータとして準備し、それらの枠を用いた送信原稿を作成することができる。
【０１４９】
なお、本実施例では、イラストデータ記憶部で記憶されるイラストデータは、各月に対する値で表現されていた。しかし、各イラストデータに対してファジィ集合を用いて利用される月を表現してもよい。
【０１５０】
なお、本実施例では、日時検出手段を用いてイラストを選択した。しかし、プロフィール入力部を設けることにより、ユーザのプロフィールを基にイラストを選択することができる。これにより、ユーザのプロフィールに合った送信原稿を作成することができる。
【０１５１】
なお、本実施例では、日時検出手段を用いてイラストを選択した。しかし、感情入力部を設けることにより、ユーザの感情を基にイラストを選択することができる。これにより、ユーザの感情に合った送信原稿を作成することができる。
【０１５２】
なお、本実施例では、送信原稿の記述領域を移動させ、イラストを挿入している。しかし、送信原稿の空き領域を検出し、その領域にイラストを挿入することもできる。
【０１５３】
（実施例９）
第９の発明にかかる実施の一形態を図を参照しながら説明する。
【０１５４】
図５０は、第９の発明の実施例である書類送信装置のシステム構成を示すものである。図５０において、８２はファクシミリを受信するファクシミリ受信部、８３はユーザからの手書き入力を受け付ける手書き入力部、８４はファクシミリ受信部８２と手書き入力部８３の書類の記述領域を検出する記述領域検出手段、８５は記述領域とイラスト領域のレイアウトパターンが記憶されているレイアウト記憶部、８６は記述領域検出手段で検出された領域の情報を基に、レイアウト記憶部で記憶されているレイアウトを選択するレイアウト決定手段、８７はイラストデータの画像情報とイラストの使用される季節が記憶されているイラストデータ記憶部、８８はユーザが手書き入力した時刻を検出する日時検出手段、８９は日時検出手段で検出された日時を基に、イラストデータ記憶部で記憶されているイラストデータを選択するイラスト決定手段、９０は手書き入力とイラストを合成して出力する表示部、９１はイラスト付き書類を電話回線を通じて送信できる送信部である。
【０１５５】
以上のように構成されたシステムが実行されるハードウエア構成を図５１に示す。図５１は、基本的に汎用の計算機システムと通信モデムから構成されている。図５１のシステムの構成部分として説明した、ファクシミリ受信部８２、手書き入力部８３、レイアウト記憶部８５、イラストデータ記憶部８７、表示部９０、送信部９１を備えている。図５１の構成のうち図５０のシステム構成と同じ部分に関しては、同一番号を付し説明を省略する。図５１において、９２は表示部９０に表示されるデータを記憶するＶＲＡＭ、９３は処理のプログラムやデータを実行時に記憶する主記憶装置、９４はプログラムやデータを蓄積しておく外部記憶装置、９５は外部記憶装置９４に記憶されているプログラムを主記憶装置９３に転送し実行するＣＰＵである。以上のように構成された書類送信装置の動作を、図５２のフローチャートに沿って説明する。
【０１５６】
＜準備＞
レイアウト記憶部８５とイラストデータ記憶部８７で記憶させる内容は、第１の発明と同一であるため、説明を省略する。
【０１５７】
＜アルゴリズム＞
（ステップＪ１）
ファクシミリ受信部８２によって、ファクシミリを受信する。ここでは、図５３の内容のファクシミリを受信したとする。
【０１５８】
（ステップＪ２）
マウス、タブレット等のポインティングデバイス、または、タッチパネルが装着されているディスプレイ等の手書き入力できる計算機に対して、ユーザが、図５４のように手書き入力をする。
【０１５９】
（ステップＪ３）から（ステップＪ１０）は、第１の発明の（ステップＡ２）から（ステップＡ９）と同様の動作を行うため、説明を省略する。
【０１６０】
（ステップＪ１１）
表示部９０において、受信原稿の記述領域を中心に移動させ、イラストが挿入された原稿が図５４のように表示される。
【０１６１】
（ステップＪ１２）
（ステップＪ１１）で表示されたイラスト付き書類を、ポインティングデバイス等により選択する。ここでは、図５４のように提示されたイラスト付き書類の左の書類を選択したとする。
【０１６２】
（ステップＪ１２）
ユーザ選択部７６において選択された原稿を送信部９１により送信される。
【０１６３】
本発明の書類送信装置を用いることにより、図５３で受信した原稿に対してユーザが手書き入力した原稿に、自動的にイラストを挿入させることができる。また、受信した原稿の記述された部分の形状に応じて記述領域を移動させることにより、ユーザは、全体のレイアウトを意識せずに、原稿を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【０１６４】
なお、本実施例では、手書き入力された部分の色は変更しなかった。しかし、日時検出手段で検出された日時により、文字の色を変更することができる。例えば、８月に書かれた手書きの内容は、赤色に変更することができる。これにより、さらに季節感のある送信原稿を作成することができる。
【０１６５】
なお、本実施例では、ワンポイントのイラストを挿入していた。しかし、送信原稿の枠をイラストデータとして準備し、それらの枠を用いた送信原稿を作成することができる。
【０１６６】
なお、本実施例では、イラストデータ記憶部で記憶されるイラストデータは、各月に対する値で表現されていた。しかし、各イラストデータに対してファジィ集合を用いて利用される月を表現してもよい。
【０１６７】
なお、本実施例では、日時検出手段を用いてイラストを選択した。しかし、プロフィール入力部を設けることにより、ユーザのプロフィールを基にイラストを選択することができる。これにより、ユーザのプロフィールに合った送信原稿を作成することができる。
【０１６８】
なお、本実施例では、日時検出手段を用いてイラストを選択した。しかし、感情入力部を設けることにより、ユーザの感情を基にイラストを選択することができる。これにより、ユーザの感情に合った送信原稿を作成することができる。
【０１６９】
なお、本実施例では、送信原稿の記述領域を移動させ、イラストを挿入している。しかし、送信原稿の空き領域を検出し、その領域にイラストを挿入することもできる。
【０１７０】
（実施例１０）
第１０の発明にかかる実施の一形態を図を参照しながら説明する。
【０１７１】
図５５は、第１０の発明の実施例である書類送信装置のシステム構成を示すものである。図５５において、９６は送信する原稿を読み取る原稿読取部、９７は原稿読取部９６で読み取られた原稿の記述領域を検出する記述領域検出手段、９８は手書き領域とイラスト領域のレイアウトパターンが記憶されているレイアウト記憶部、９９は記述領域検出手段で検出された領域の情報を基に、レイアウト記憶部で記憶されているレイアウトを選択するレイアウト決定手段、１００はイラストデータの画像情報とイラストの使用される季節が記憶されているイラストデータ記憶部、１０１はユーザが手書き入力した時刻を検出する日時検出手段、１０２は日時検出手段で検出された日時を基に、イラストデータ記憶部で記憶されているイラストデータを選択するイラスト決定手段、１０３は原稿とイラストの合成を記憶しているイラスト付き原稿記憶部、１０４はイラスト付き原稿記憶部１０３で記憶されている原稿を確認のために出力する原稿出力部、１０５はユーザが指定した原稿を送信する送信部である。
【０１７２】
以上のように構成されたシステムが実行されるハードウエア構成を図５６に示す。図５６は、基本的にファクシミリと同様の構成からなる。図５６のシステムの構成部分として説明した、原稿読取部９６、レイアウト記憶部９８、イラストデータ記憶部１００、原稿出力部１０４、送信部１０５、イラスト付き原稿記憶部１０３を備えている。図５６の構成のうち図５５のシステム構成と同じ部分に関しては、同一番号を付し説明を省略する。図５６において、１０６は処理のプログラムやデータを実行時に記憶する主記憶装置、１０７はプログラムやデータを蓄積しておく外部記憶装置、１０８は外部記憶装置１０７に記憶されているプログラムを主記憶装置１０６に転送し実行するＣＰＵである。以上のように構成された書類送信装置の動作を、図５７のフローチャートに沿って説明する。
【０１７３】
＜準備＞
レイアウト記憶部７０とイラストデータ記憶部７２で記憶させる内容は、第１の発明と同一であるため、説明を省略する。
【０１７４】
＜アルゴリズム＞
（ステップＫ１）から（ステップＫ９）までは、第８の発明の（ステップＨ１）から（ステップＨ９）までと同一であるため、説明を省略する。
【０１７５】
（ステップＫ１０）
（ステップＫ７）で選択されたレイアウトのイラスト領域の部分へ、（ステップＫ９）で選択されたイラストデータを挿入し、原稿の記述領域の部分へ、ユーザが入力した原稿の記述領域を移動させることにより、イラスト付き原稿が作成され、それらの原稿をイラスト付き原稿記憶部で記憶させる。本実施例では、図１０のレイアウトに対して、図１６のイラストデータが挿入された原稿が、記憶される。
【０１７６】
（ステップＫ１１）〜（ステップＫ１３）
イラスト付き原稿記憶部で記憶されている原稿を、原稿出力部１０４において順に出力する。出力された原稿に対して、ユーザが満足したならば、そのイラスト付き原稿を送信する。
【０１７７】
本発明の書類送信装置を用いることにより、図４９で入力されたユーザの送信原稿に対して、自動的にイラスト付き原稿を作成することができる。また、送信原稿の記述された部分の形状に応じて記述領域を移動させることにより、ユーザは、全体のレイアウトを意識せずに、書類を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【０１７８】
なお、本実施例では、手書き入力された部分の色は変更しなかった。しかし、日時検出手段で検出された日時により、文字の色を変更することができる。例えば、８月に書かれた手書きの内容は、赤色に変更することができる。これにより、さらに季節感のある送信原稿を作成することができる。
【０１７９】
なお、本実施例では、ワンポイントのイラストを挿入していた。しかし、送信原稿の枠をイラストデータとして準備し、それらの枠を用いた送信原稿を作成することができる。
【０１８０】
なお、本実施例では、イラストデータ記憶部で記憶されるイラストデータは、各月に対する値で表現されていた。しかし、各イラストデータに対してファジィ集合を用いて利用される月を表現してもよい。
【０１８１】
なお、本実施例では、日時検出手段を用いてイラストを選択した。しかし、プロフィール入力部を設けることにより、ユーザのプロフィールを基にイラストを選択することができる。これにより、ユーザのプロフィールに合った送信原稿を作成することができる。
【０１８２】
なお、本実施例では、日時検出手段を用いてイラストを選択した。しかし、感情入力部を設けることにより、ユーザの感情を基にイラストを選択することができる。これにより、ユーザの感情に合った送信原稿を作成することができる。
【０１８３】
なお、本実施例では、送信原稿の記述領域を移動させ、イラストを挿入している。しかし、送信原稿の空き領域を検出し、その領域にイラストを挿入することもできる。
【０１８４】
本発明の他の実施形態である、書類を作成するための入力部と、前記入力部で入力された書類の記述領域を検出する記述領域検出手段と、複数の記述領域の形状を参照パターンとして記憶し、前記参照パターンに対応するイラスト領域のレイアウトを記憶するレイアウト記憶部から前記記述領域検出手段で検出された記述領域の形状と類似した形状の参照パターンを選択し、前記レイアウト記憶部に記憶されている前記選択した参照パターンに対応するイラスト領域のレイアウトを決定するレイアウト決定手段と、日時を検出する日時検出手段と、イラストデータと前記イラストデータが使用される月に関する情報とが記憶されているイラストデータ記憶部から前記日時検出手段で検出された日時に対応するイラストを決定するイラスト決定手段と、前記入力部の入力と前記レイアウト決定手段で決定されたレイアウトと前記イラスト決定手段で決定されたイラストを基に書類とイラストとを表示する表示部を備える書類作成装置を用いることにより、入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、季節感のあるイラストを挿入することにより、見栄えのする書類が自動的に作成できる。
【０１８５】
本発明の他の実施形態である、書類を作成するための入力部と、前記入力部で入力された書類の記述領域を検出する記述領域検出手段と、複数の記述領域の形状を参照パターンとして記憶し、前記参照パターンに対応するイラスト領域のレイアウトを記憶するレイアウト記憶部から前記記述領域検出手段で検出された記述領域の形状と類似した形状の参照パターンを選択し、前記レイアウト記憶部に記憶されている前記選択した参照パターンに対応するイラスト領域のレイアウトを決定するレイアウト決定手段と、プロフィールを入力するためのプロフィール入力部と、イラストデータと前記イラストデータが使用されるプロフィールに関する情報とが記憶されているイラストデータ記憶部から前記プロフィール入力部で入力されたプロフィールに対応するイラストを決定するイラスト決定手段と、前記入力部の入力と前記レイアウト決定手段で決定されたレイアウトと前記イラスト決定手段で決定されたイラストを基に書類とイラストとを表示する表示部を備える書類作成装置を用いることにより、入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、ユーザのプロフィールにあったイラストを挿入することにより、ユーザの個人情報を反映させた書類が自動的に作成できる。子供が作成すると、子供らしい書類が作成され、女性が作成すると、女性らしい書類が作成できる。
【０１８６】
本発明の他の実施形態である、書類を作成するための入力部と、前記入力部で入力された書類の記述領域を検出する記述領域検出手段と、複数の記述領域の形状を参照パターンとして記憶し、前記参照パターンに対応するイラスト領域のレイアウトを記憶するレイアウト記憶部から前記記述領域検出手段で検出された記述領域の形状と類似した形状の参照パターンを選択し、前記レイアウト記憶部に記憶されている前記選択した参照パターンに対応するイラスト領域のレイアウトを決定するレイアウト決定手段と、感情を入力するための感情入力部と、イラストデータと前記イラストデータが使用される感情に関する情報とが記憶されているイラストデータ記憶部から前記感情入力部で入力された感情に対応するイラストを決定するイラスト決定手段と、前記入力部の入力と前記レイアウト決定手段で決定されたレイアウトと前記イラスト決定手段で決定されたイラストを基に書類とイラストとを表示する表示部を備える書類作成装置を用いることにより、入力されたユーザの手書き入力に対して、自動的にイラスト付き書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、ユーザの感情にあったイラストを挿入することにより、ユーザの気分を伝える書類を作成することができる。
【０１８７】
本発明の他の実施形態は、原稿を入力する原稿入力部と、前記原稿入力部で入力された原稿の記述領域を検出する記述領域検出手段と、複数の記述領域の形状を参照パターンとして記憶し、前記参照パターンに対応するイラスト領域のレイアウトを記憶するレイアウト記憶部から前記記述領域検出手段で検出された記述領域の形状と類似した形状の参照パターンを選択し、前記レイアウト記憶部に記憶されている前記選択した参照パターンに対応するイラスト領域のレイアウトに基づいて所定のレイアウトを決定するレイアウト決定手段と、日時を検出する日時検出手段と、イラストデータと前記イラストデータが使用される月に関する情報とが記憶されているイラストデータ記憶部から前記日時検出手段で検出された日時に対応するイラストを決定するイラスト決定手段と、前記原稿入力部から入力された原稿と前記レイアウト決定手段で決定されたレイアウトと前記イラスト決定手段で決定されたイラストとを記憶するイラスト付き原稿記憶部と、前記イラスト付き原稿記憶部で記憶されている内容を送信する送信部を備えることにより、入力されたユーザの送信原稿に対して、自動的にイラスト付き原稿を作成することができる。また、送信原稿の記述された部分の形状に応じて記述領域を移動させることにより、ユーザは、全体のレイアウトを意識せずに、書類を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【０１８８】
また、他の実施形態において、更に書類を表示するときに再生する効果音と前記効果音が使用される月に関する情報とを記憶している効果音記憶部と、前記日時検出手段で検出された日時に対応する効果音を前記イラストデータ記憶部の月に関する情報に基づいて決定する構成を備えることにより、入力されたユーザの手書き入力に対して、自動的にイラストと効果音の付いた書類を作成することができる。また、手書き入力された部分の形状に応じて手書き領域を移動させることにより、ユーザは、全体のレイアウトを意識せずに、書類を作成できる。手書き入力された量が少ない場合でも、適切にレイアウトし、イラストを挿入し、全体のバランスがとれる。さらに、季節感のあるイラストを挿入することにより、見栄えのする書類が自動的に作成できる。
【０１８９】
そして、本発明の第一の実施形態の書類作成装置を用いることにより、入力されたユーザの手書き入力に対して、自動的にイラスト付き書類を作成することができる。また、手書き入力された量が少ない場合でも、イラストを挿入することにより、全体のバランスがとれる。さらに、季節感のあるイラストを挿入することにより、見栄えのする書類が自動的に作成できる。
【０１９０】
第ニの実施形態の書類作成装置を用いることにより、入力されたユーザの手書き入力に対して、自動的にイラスト付き書類を作成することができる。また、手書き入力された量が少ない場合でも、イラストを挿入することにより、全体のバランスがとれる。さらに、ユーザのプロフィールにあったイラストを挿入することにより、ユーザの個人情報を反映させた書類が自動的に作成できる。子供が作成すると、子供らしい書類が作成され、女性が作成すると、女性らしい書類が作成できる。
【０１９１】
第三の実施形態の書類作成装置を用いることにより、入力されたユーザの手書き入力に対して、自動的にイラスト付き書類を作成することができる。また、手書き入力された量が少ない場合でも、イラストを挿入することにより、全体のバランスがとれる。さらに、ユーザの感情にあったイラストを挿入することにより、ユーザの気分を伝える書類を作成することができる。
【０１９２】
また、ファクシミリを受信するファクシミリ受信部と、手書きの入力を受け付ける手書き入力部と、ファクシミリ受信部で受信したファクシミリと手書き入力部で入力された手書き入力の記述領域を検出する記述領域検出手段と、記述領域とイラスト領域のレイアウトが記憶されているレイアウト記憶部と、記述領域に応じてレイアウト記憶部で記憶されているレイアウトを基にレイアウトを決定するレイアウト決定手段と、日時を検出する日時検出手段と、イラストデータが記憶されているイラストデータ記憶部と、日時検出手段で検出された日時からイラストを決定するイラスト決定手段と、原稿入力部の原稿と手書き入力部で入力された手書きとレイアウト決定手段で決定されたレイアウトとイラスト決定手段で決定されたイラストを基に表示する表示部と、表示部で表示された内容を選択できる選択部と、選択部で選択された原稿を送信する送信部を備える実施形態によれば、受信した原稿に対してユーザが手書き入力した原稿に、自動的にイラストを挿入させることができる。また、受信した原稿の記述された部分の形状に応じて記述領域を移動させることにより、ユーザは、全体のレイアウトを意識せずに、原稿を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【０１９３】
また、入力された原稿を読み取る原稿読取部と、原稿読取部で読みとられた原稿の記述領域を検出する記述領域検出手段と、記述領域とイラスト領域のレイアウトが記憶されているレイアウト記憶部と、記述領域に応じてレイアウト記憶部で記憶されているレイアウトを基にレイアウトを決定するレイアウト決定手段と、日時を検出する日時検出手段と、イラストデータが記憶されているイラストデータ記憶部と、日時検出手段で検出された日時からイラストを決定するイラスト決定手段と、原稿読取部の原稿とレイアウト決定手段で決定されたレイアウトとイラスト決定手段で決定されたイラストを記憶するイラスト付き原稿記憶部と、イラスト付き原稿記憶部で記憶されている内容を出力する原稿出力部と、原稿出力部の原稿を送信する送信部を備える実施形態によれば、計算機の画面なしに、入力されたユーザの送信原稿に対して、自動的にイラスト付き原稿を作成することができる。また、送信原稿の記述された部分の形状に応じて記述領域を移動させることにより、ユーザは、全体のレイアウトを意識せずに、書類を作成できる。送信原稿の記述量が少ない場合でも、適切にレイアウトし、イラストを挿入し、全体のバランスがとれる。さらに、季節感のあるイラストを挿入することにより、見栄えのする原稿を送信することができる。
【産業上の利用可能性】
【０１９４】
本発明は、入力された書類に対して、自動的にイラスト付き書類装置などに利用可能である。
【図面の簡単な説明】
【０１９５】
【図１】第１の発明のシステム構成図
【図２】第１の発明のハードウエア構成図
【図３】第１の発明のフローチャート
【図４】手書き領域の参照パターンを示す図
【図５】参照パターン１のレイアウトを示す図
【図６】参照パターン２のレイアウトを示す図
【図７】参照パターン３のレイアウトを示す図
【図８】参照パターン４のレイアウトを示す図
【図９】参照パターン５のレイアウトを示す図
【図１０】参照パターン６のレイアウトを示す図
【図１１】日時で選択されるイラストデータを示す図
【図１２】手書き入力される画面を示す図
【図１３】矩形に分割された手書き入力画面を示す図
【図１４】手書き領域の検出を示す図
【図１５】参照パターンとのマッチングを示す図
【図１６】月により選択されたイラストを示す図
【図１７】第１の発明の出力結果を示す図
【図１８】第２の発明のシステム構成図
【図１９】第２の発明のハードウエア構成図
【図２０】第２の発明のフローチャート
【図２１】プロフィールで選択されるイラストデータを示す図
【図２２】プロフィール入力画面を示す図
【図２３】プロフィールにより選択されたイラストを示す図
【図２４】第２の発明の出力結果を示す図
【図２５】第３の発明のシステム構成図
【図２６】第３の発明のハードウエア構成図
【図２７】第３の発明のフローチャート
【図２８】感情で選択されるイラストデータを示す図
【図２９】感情入力画面を示す図
【図３０】感情により選択されたイラストデータを示す図
【図３１】第３の発明の出力結果を示す図
【図３２】第４の発明のシステム構成図
【図３３】第４の発明のハードウエア構成図
【図３４】第４の発明のフローチャート
【図３５】第５の発明のシステム構成図
【図３６】第５の発明のハードウエア構成図
【図３７】第５の発明のフローチャート
【図３８】第６の発明のシステム構成図
【図３９】第６の発明のハードウエア構成図
【図４０】第６の発明のフローチャート
【図４１】第７の発明のシステム構成図
【図４２】第７の発明のハードウエア構成図
【図４３】第７の発明のフローチャート
【図４４】日時で選択される効果音と選択された効果音を示す図
【図４５】第７の発明の出力結果を示す図
【図４６】第８の発明のシステム構成図
【図４７】第８の発明のハードウエア構成図
【図４８】第８の発明のフローチャート
【図４９】送信原稿を示す図
【図５０】第９の発明のシステム構成図
【図５１】第９の発明のハードウエア構成図
【図５２】第９の発明のフローチャート
【図５３】受信したファクシミリと返事を示す図
【図５４】第９の発明の出力結果を示す図
【図５５】第１０の発明のシステム構成図
【図５６】第１０の発明のハードウエア構成図
【図５７】第１０の発明のフローチャート
【符号の説明】
【０１９６】
１，１３，２５，３７，４３，４９，５５，８３    手書き入力部
２，１４，２６，５６，６９，８４，９７    記述領域検出手段
３，１５，２７，５７，７０，８５，９８    レイアウト記憶部
４，１６，２８，５８，７１，８６，９９    レイアウト決定手段
５，１７，２９，５９，７２，８７，１００    イラストデータ記憶部
６，４０，６１，７３，８８，１０１    日時検出手段
７，１８，３１，７４，８９，１０２    イラスト決定手段
８，２０，３２，４２，４８，５４，６３，７５，９０    表示部
９，２１，３３，６４，７８，９２    ＶＲＡＭ
１０，２２，３４，６５，７９，９３，１０６    主記憶装置
１１，２３，３５，６６，８０，９４，１０７    外部記憶装置
１２，２４，３６，６７，８１，９５，１０８    ＣＰＵ
１９，４６    プロフィール入力部
３０，５２    感情入力部
３８，４４，５０    空き領域検出部
６０    効果音記憶部
６２    イラスト効果音決定手段
６８，９６    原稿読取部
７６    ユーザ選択部
７７，９１，１０５    送信部
８２    ファクシミリ受信部
１０３    イラスト付き原稿記憶部
１０４    原稿出力部
【図１】
2005117695.tif 000003
【図２】
2005117695.tif 000004
【図３】
2005117695.tif 000005
【図４】
2005117695.tif 000006
【図５】
2005117695.tif 000007
【図６】
2005117695.tif 000008
【図７】
2005117695.tif 000009
【図８】
2005117695.tif 000010
【図９】
2005117695.tif 000011
【図１０】
2005117695.tif 000012
【図１１】
2005117695.tif 000013
【図１２】
2005117695.tif 000014
【図１３】
2005117695.tif 000015
【図１４】
2005117695.tif 000016
【図１５】
2005117695.tif 000017
【図１６】
2005117695.tif 000018
【図１７】
2005117695.tif 000019
【図１８】
2005117695.tif 000020
【図１９】
2005117695.tif 000021
【図２０】
2005117695.tif 000022
【図２１】
2005117695.tif 000023
【図２２】
2005117695.tif 000024
【図２３】
2005117695.tif 000025
【図２４】
2005117695.tif 000026
【図２５】
2005117695.tif 000027
【図２６】
2005117695.tif 000028
【図２７】
2005117695.tif 000029
【図２８】
2005117695.tif 000030
【図２９】
2005117695.tif 000031
【図３０】
2005117695.tif 000032
【図３１】
2005117695.tif 000033
【図３２】
2005117695.tif 000034
【図３３】
2005117695.tif 000035
【図３４】
2005117695.tif 000036
【図３５】
2005117695.tif 000037
【図３６】
2005117695.tif 000038
【図３７】
2005117695.tif 000039
【図３８】
2005117695.tif 000040
【図３９】
2005117695.tif 000041
【図４０】
2005117695.tif 000042
【図４１】
2005117695.tif 000043
【図４２】
2005117695.tif 000044
【図４３】
2005117695.tif 000045
【図４４】
2005117695.tif 000046
【図４５】
2005117695.tif 000047
【図４６】
2005117695.tif 000048
【図４７】
2005117695.tif 000049
【図４８】
2005117695.tif 000050
【図４９】
2005117695.tif 000051
【図５０】
2005117695.tif 000052
【図５１】
2005117695.tif 000053
【図５２】
2005117695.tif 000054
【図５３】
2005117695.tif 000055
【図５４】
2005117695.tif 000056
【図５５】
2005117695.tif 000057
【図５６】
2005117695.tif 000058
【図５７】
2005117695.tif 000059